(57)【要約】【課題】歯科治療の際に口腔内の唾液、血液、薬液等を容易に吸引することができる歯科用吸引器具に関し、歯の治療の邪魔にならぬように構成し、かつ口腔内の温度、湿度を積極的にコントロールできるようにすることにある。【解決手段】フレキシブルでかつ保形性のある中空のチューブ２の両端を口金３に接続し、前記チューブ２の適宜箇所に吸引用の小孔４を設け、前記口金３をバキューム装置に接続可能とした歯科用吸引器具１において、前記口金３の内部に吸引力を調節可能な弁手段とこれを操作するレバー３４とを設けたのである。【選択図】図１
2006025870.tif 000002
【特許請求の範囲】
【請求項１】
フレキシブルで保形性のある中空のチューブの一端または両端を口金の一端に設けた接続口に接続し、前記チューブの適宜箇所に吸引用の小孔を設け、前記口金の他端に設けた接続口をバキューム装置に接続可能とした歯科用吸引器具において、前記口金内部に吸引力を調節する弁手段を設けたことを特徴とする歯科用吸引器具。
【請求項２】
フレキシブルで保形性のある中空のチューブの一端または両端を口金の一端に設けた接続口に接続し、前記チューブの適宜箇所に吸引用の小孔を設け、さらに前記口金の一端の接続口に別の柔軟な中空のチューブを接続し、このチューブの先端に中空吸引針を設け、前記口金の他端に設けた接続口をバキューム装置に接続可能とした歯科用吸引器具において、前記口金内部に吸引力を調節する弁手段を設けたことを特徴とする歯科用吸引器具。
【請求項３】
前記口金の一端の接続口に対して他端の接続口を回動可能にした請求項１または２に記載の歯科用吸引器具。
【請求項４】
前記口金は口金本体とその一端に接続された回動部材より成り、前記口金本体の他端から前記回動手段の先端まで連通する通路が設けられ、前記口金本体内の通路に吸引力を調整する弁手段が設けられ、前記回動部材に前記チューブが接続されかつ前記通路の周方向に回動可能になっている請求項１〜請求項３のいずれかに記載の歯科用吸引器具。
【請求項５】
前記弁手段が前記口金本体内の通路を横切る方向に気密に回転可能に取り付けられた円筒体と、この円筒体を径方向に貫通する弁孔より成り、前記円筒体の回転により前記弁孔が前記通路を連通または遮断させるようにした請求項１〜請求項４のいずれかに記載の歯科用吸引器具。
【請求項６】
前記円筒体に円筒体を回転させるレバーを設け、このレバーの可動範囲を前記弁孔による通路の全開位置と全閉位置との間に制限した請求項１〜請求項５のいずれかに記載の歯科用吸引器具。
【請求項７】
前記中空チューブの先端部に口腔を開いた状態に維持するスペーサを設けた請求項１〜請求項６のいずれかに記載の歯科用吸引器具。
【発明の詳細な説明】
【技術分野】
【０００１】
この発明は、歯科治療の際に口腔内の唾液、血液、薬液等を容易に吸引することができるとともに、口腔内の温度及び湿度を調節することができる歯科用吸引器具に関する。
【背景技術】
【０００２】
歯科治療の際に用いるバキューム装置は、先端部のノズルを口腔内に挿入して唾液や血液等を吸引する仕組みであるが、治療中の歯の周辺にノズルを移動させ近づけないと十分な吸引力を得られない。しかし歯の治療と同時に、同一人がこうした微妙な操作を行うことは非常に困難である。
【０００３】
また、助手がノズルの操作を行うとしても、結局は治療の妨げにならないように、治療部から離れた箇所に保持するのが普通であり、十分な吸引力はいぜんとして得られない。
【０００４】
ここで、歯科用接着剤を口腔内で使用する際、接着剤は通常低温かつ低湿度ほど接着力が強いため、歯の治療部周辺が比較的低温で十分乾燥していないと接着が不完全となる。通常口腔内は温度が体温と同程度で、湿度が１００％に近い状態であるため、治療の際には、口腔内に外気を積極的に取り入れ温度及び湿度を下げなければならない。しかし従来のバキューム装置では、ノズルを治療部周辺に近づけることができないので低温乾燥状態を人為的に作り出すことは難しかった。
【０００５】
上記のような問題を解決するため、本発明者はフレキシブルで保形性のある中空のチューブの一端または両端を口金に接続し、チューブの適宜箇所に吸引用小孔を設け、口金をバキューム装置に接続可能とした歯科用吸引器具を提案している（特許文献１、特許文献２）。
【０００６】
本発明者が提案した歯科用吸引器具によれば、上記チューブはフレキシブルで保形性を有するため、治療部の歯の周辺に沿わせて装着することができ、手で保持する必要がない。そのため、治療の邪魔にならずに口腔内に外気を取り入れることができ、口腔、なかでも治療部周辺を低温乾燥状態に維持することが可能である。
【０００７】
しかしこのような簡単な構造では、歯科用吸引器具の吸引力の微妙な調整をすることができず、口腔内温度や湿度の高低を施術者の思い通りに調節することは困難である。
【０００８】
そのため、次亜塩素酸やリン酸、ＥＴＤＡ等の薬剤を歯牙や歯肉、粘膜等に作用させる場合には、薬剤の作用効果を高めるため温度を上昇させなければならないが、吸引力の調整ができないため、温度を調節することができない問題がある。
【０００９】
また、冠やインレー、ブリッジ等を接着セメントや合着用セメント等を用いて接着する際、これらの材料は温度が上がると早く固まる特性を持っている。そこで、これらを使用する際、治療に手間がかかり時間に余裕がほしいときには、固まる時間を遅れさせるため温度を下げ、治療が終わり早く硬化させたいときには温度を上げるなど、温度の人為的なコントロールが必要とされる場面がある。しかし上記のように吸引力のオンとオフの二者択一しかできない構造ではこのような要請に対応できない問題がある。
【特許文献１】特開平７−２０４２１５号公報
【特許文献２】特開平１１−２８２１９号公報
【発明の開示】
【発明が解決しようとする課題】
【００１０】
そこで、この発明が解決しようとする課題は、フレキシブルで保形性のある中空チューブで口腔内を吸引する際に、口腔内の温度、湿度を施術者が治療の状況に応じて、積極的にコントロールできるようにすることである。
【課題を解決するための手段】
【００１１】
上記した課題を解決するため、この発明は、フレキシブルでかつ保形性のある中空のチューブの一端または両端を口金の一端に設けた接続口に接続し、チューブの適宜箇所に吸引用の小孔を設け、口金の他端に設けた接続口をバキューム装置に接続可能とした歯科用吸引器具において、口金内部に吸引力を調節可能な弁手段を設けた構成を採用したのである。
【００１２】
前記吸引器具の口金の一端に設けた接続口に別の柔軟な中空のチューブを接続し、このチューブの先端に中空吸引針を設け、前記口金内部に吸引力を調節可能な弁手段を設けたものでもよい。
【００１３】
前記口金の一端の接続口に対して他端の接続口を回動可能にしておくのが好ましい。回動可能にする手段は、前記口金を口金本体とこの口金本体の一端に回動部材を回動可能に接続し、口金本体の他端から前記回動部材の先端まで連通する通路を設け、前記口金本体の通路内に弁手段を設けておくのがよい。この弁手段は、前記通路を横切る方向に気密に回転可能に取り付けられた円筒体と、この円筒体を径方向に貫通する弁孔より成り、前記円筒体の回転によって前記弁孔が前記通路を連通または遮断させるようにしたものが好ましい。さらに、前記円筒体にレバーを設け、このレバーの可動範囲を前記弁孔による通路の全開位置と全閉位置との間に制限しておくのが好ましい。なお、前記チューブの先端部にスペーサを取り付け、口腔を開いた状態に維持できるようにしておくのがよい。
【発明の効果】
【００１４】
この発明によれば、バキューム装置に接続する口金に吸引力を調節できる弁手段を設け、この弁手段をレバーで操作できるようにしたことにより、歯を治療する際に、用いられるそれぞれの歯科材料や薬等に合わせて、その材料や薬等が最大の効果を発揮する状態へと口腔内環境を状況に応じ自由に調節できる。つまり口腔内の温度、湿度を人為的、積極的にコントロールできる。また、歯の根幹治療の際に、根管内に吸引針を挿入することにより、根管壁内の温度、湿度を状況に応じて自由に調節できる。
【００１５】
さらに、口金部分を回動可能とすることにより、弁手段の開閉を調節するためのレバーを施術者が他の施術用具を持ったままで操作可能な適当な角度に自由に調整することができる。
【発明を実施するための最良の形態】
【００１６】
以下この発明の実施の形態を、添付図面を参照しつつ説明する。
【００１７】
図１及び図２に示すように、この発明の歯科用吸引器具１は、フレキシブルで保形性のあある中空のチューブ２と、この中空チューブ２に接続された口金３と、中空チューブ２の先端部に取り付けられているスペーサ５とからなる。なお後述するが、図１４及び図１５に示すように、別途柔軟な中空のチューブ６を口金に接続し、このチューブの先端に中空吸引針６ａを設けてもよい。
【００１８】
前記中空チューブ２をフレキシブルで保形性を有するように形成する手段としては、図１から図３に示すように、ゴムや合成樹脂からなる柔軟なチューブ２内に、銅やアルミニウムや銀などのフレキシブルで保形性を有する線材２ａを挿入しておく方法がある。これにより、口腔内の歯列に中空チューブ２を密着させることが可能となる。
【００１９】
なおこの線材２ａは、必ずしもチューブ２の全長にわたって挿入されていなくても良い。たとえばチューブ２でループを形成する部分のみに線材を挿入しておいても良い。したがってこの場合は、チューブ２の保形性を有する部分はループの部分のみとなる。
【００２０】
チューブ２に保形性を与える他の手段としては、図４のように、半硬質合成樹脂からなるチューブ２に細かい蛇腹２ｂを形成する方法がある。この蛇腹２ｂはチューブの全長にわたって形成しても良いし、ループ部や屈曲部だけに形成しても良い。なお、この場合には上記したような保形性を有する金属線材２ａを併用することもできる。また、内部にらせん状ばね線を蛇腹と同じピッチになるようにして挿入、固着しておいても良い。
【００２１】
前記スペーサ５は、図５に示すようにほぼコ字形に線材を折り曲げたストッパ５ａと、このストッパ５ａに対して弾性的に接近または離反可能なほぼコ字形の当接部５ｂと、前記ストッパ５ａと当接部５ｂが集合する内端部から縦方向に延びるらせん状の基幹部５ｃと、脚部５ｄより成り、この脚部５ｄが前記チューブ２のほぼ先端部から内部に挿入され（図１、図２参照）、チューブ２の先端部にスペーサ５が取り付けられる。
【００２２】
このようなスペーサ５を取り付けておくと、チューブ２を口腔内に挿入した際に、スペーサ５を治療する歯と対向する歯にあてがい、軽くかむことによって、チューブ２の先端部の位置を安定させることができるとともに、クッション性を有する当接部５ｂが歯を支持しつつ徐々に縮んでいき、ストッパ５ａへと弾性的に柔かく導くため、口腔を開いた状態を楽に維持することができる。
【００２３】
次に口金３について詳しく見ると、図６及び図７に示すように、四角柱状の口金本体３ａには、バキューム接続口３ｂと、前記チューブ２の回動部材４０を取り付けるための取付け口３ｃが対向して設けられ、バキューム接続口３ｂと口金本体３ａ及び取付け口３ｃは、直線的な通路３ｄによって連通している。
【００２４】
前記口金本体３ａには、前記通路３ｄをほぼ直角に横断する方向に、通路３ｄより大径の円筒状弁体保持穴３ｅがほぼ水平方向に貫通して設けられ、この保持穴３ｅ内に、図８に示すような円筒状弁体３０が気密かつ回転可能に挿入される。この弁体３０には、前記通路３ｄとほぼ同径の貫通弁孔３１が通路３ｄと一致するように設けられ、弁体３０を回転することによって、通路３ｄの流量を調節できるようになっている。また、弁体３０の両端には、前記弁孔３１の軸線に対してほぼ４５°の傾斜角αを有する溝３２が設けられ、この溝３２を設けた部分だけ弁体３０は、口金本体３ａの側面から突出するようになっており、弁体３０の保持穴３ｅの両端部内側に近接する部分に、シールリング３３が設けられている。そして弁体３０を保持穴３ｅに挿入し、コ字状レバー３４の両脚を弁体３０の両端の溝３２に嵌め込んでビス等で固定すると、弁体３０の抜け止めとともに弁体３０の開閉度の調節が行われる。このとき、図９に示すように、レバー３４で弁孔３１を全開したとき、即ち図の点線のように通路３ｄと弁孔３１を一致させたときレバー３４のつまみ部３４ａの内側縁が口金本体３ａの頂面に突き当ってそれ以上レバー３４を倒すことができず、逆にレバー３４を時計方向に回動して図の鎖線で示すように、つまみ部３４ａの内側縁が同様に口金本体３ａの頂面に突き当ってそれ以上レバー３４を倒すことができないときに、弁孔３１が全閉状態になるようにしておくと操作に便利である。なお、図１０に示すように、単なるつまみ式のレバー３４ｂでもよい。このときには、回動を制限する一対のストッパ３５を設けておくのがよい。このように、レバー３４を前後方向に動かすだけで弁体３０の開閉度を調節することができるので、手に他の器具を持っていても容易に操作することができる。
【００２５】
図７及び図１１に示すように、前記回動部材４０は、口金本体３ａの取付け口３ｃに対して周方向に回動自在となっている。図示のように、ほぼ円筒形の回動部材４０には、その一端に前記取付け口３ｃが密着して取り付け可能な挿入口４１が設けられている。一方、取付け口３ｃの先端部には、周溝３ｆが設けられ、挿入口４１の内面には、前記周溝３ｆに対応する位置に弾性シールリング４２が固着され、取付け口３ｃを挿入口４１に押し込むとリング４２が周溝３ｆに弾性的に嵌り込んで抜け止めとなり、またパッキングの役目も果す。勿論、シールリング４２は、回動部材４０の回動を妨げないように潤滑性を有するようにしてある。なお図中、符号４３は前記通路３ｄに連通する通路、４４はチューブ２の接続口である。
【００２６】
上記歯科用吸引器具１の使用例を、図１２及び図１３を参照しつつ説明する。
【００２７】
まず、口腔Ａ内の歯列Ｂ外周に沿ってループチューブ２を密着させる。チューブ２はフレキシブルでかつ保形性があるため、容易に歯列に沿わせて密着させることができる。
【００２８】
次に、スペーサ５を治療する歯と対向する歯にあてがい軽くかむ。これによって、チューブ２の位置を安定させることができるとともに、口腔を開いた状態を楽に維持できる。
【００２９】
チューブ２の口腔の外部に導出された部分を、 治療の邪魔にならぬように適宜屈曲させ、口金３のバキューム接続口３ｂを歯科用バキューム装置のホースＤに連結し、バキューム装置を作動させると、吸引用小孔４から唾液等が吸引される。
【００３０】
このとき口金３に設けられたレバー３４を操作することにより、外気を取り込む吸引力を自由に調整することができるため、施術者は治療の状況に応じて口腔内の温度や湿度を調節することができる。たとえば、歯科用接着剤を口腔内で使用する際、接着剤は通常低温かつ低湿度ほど接着力が強い。そこで、外気を取り込んで歯の治療部周辺が比較的低温で十分乾燥した状態に持っていくため弁孔３１を適度に開いておく。
【００３１】
また、次亜塩素酸やリン酸、ＥＴＤＡ等の薬剤を歯牙や歯肉、粘膜等に作用させる場合には、薬剤の作用効果を高めるため温度を上昇させなければならない。そこで、口腔内の温度を体温に近づけるように弁孔３１を適度に閉じておく。
【００３２】
さらには、冠やインレー、ブリッジ等を接着セメントや合着用セメント等を用いて接着する際、これらの材料は温度が上がると早く固まる特性を持っている。そこで、これらを使用する際、治療に手間がかかり時間に余裕がほしいときには、固まる時間を遅れさせるため、温度を下げるように弁孔３１を開いておき、治療が終わり早く硬化させたいときには、温度を上げるため弁孔３１を閉じておく。
【００３３】
なお、回動部材４０と口金本体３ａとは回動可能なように接続されているので、施術者がレバー３４を操作しやすいように口金本体３ａを回動させ、上述のような弁孔３１の開閉操作を行う。このようにして治療する際には、舌Ｃと歯列Ｂとの間にチューブ２が介在するため、チューブ２が舌Ｃをブロックし、歯科用切削工具で舌Ｃや唇、内頬などを傷付けることを防止できる。
【００３４】
図１４及び１５に示すように、前記チューブ２のほかに吸引針６ａつきのチューブ６を設けることができる。このチューブ６は柔軟性があればよく保形性がなくてもよい。この吸引針６ａつきのチューブ６を設けた場合には、歯の根管治療の際に、吸引針６ａを根管内に挿入して根管壁を乾燥させる。なお、吸引針６ａを使用しない場合は、そのまま口金から垂下させておいてもよいが、吸引針６ａを着脱自在にし、吸引針６ａの取付け部をキャップで密閉できるようにしておき、チューブ６の先端部に適当なクリップを取り付け、チューブ６を折り曲げて口金の適当な個所に前記クリップで保持できるようにしておいてもよい。こうしておけば治療の邪魔にもならないし、バキュームをロスすることもない。
【図面の簡単な説明】
【００３５】
【図１】この発明の歯科用吸引器具の一例を示す平面図
【図２】この発明の歯科用吸引器具の一例を示す側面図
【図３】中空チューブの断面図
【図４】この発明の歯科用吸引器具の他の例を示す平面図
【図５】スペーサの斜視図
【図６】口金の斜視図
【図７】口金の縦断面図
【図８】口金に装着する弁体の斜視図
【図９】弁体とレバーの関係を示す縦断面図
【図１０】口金本体の他の例を示す斜視図
【図１１】口金の分解斜視図
【図１２】歯科用吸引器具の使用例を示す平面図
【図１３】歯科用吸引器具の使用例を示す一部縦断側面図
【図１４】歯科用吸引器具の他の例を示す平面図
【図１５】歯科用吸引器具の他の例を示す側面図
【符号の説明】
【００３６】
１      歯科用吸引器具
２      中空チューブ
２ａ    線材
２ｂ    蛇腹
３      口金
３ａ    口金本体
３ｂ    バキュームの接続口
３ｃ    回動部材取付け口
３ｄ    通路
３ｅ    弁体保持穴
３ｆ    周溝
４      吸引用小孔
５      スペーサ
５ａ    ストッパ
５ｂ    当接部
５ｃ    基幹状部
５ｄ    脚部
６      別の中空チューブ
６ａ    吸引針
３０    弁体
３１    弁孔
３２    溝
３３    シールリング
３４    レバー
３４ａ  つまみ部
３４ｂ  レバー
３５    ストッパ
４０    回動部材
４１    挿入口
４２    シールリング
４３    通路
４４    チューブ接続口
Ａ      口腔
Ｂ      歯列
Ｃ      舌
Ｄ      バキューム装置のホース
α      傾斜角
【図１】
2006025870.tif 000003
【図２】
2006025870.tif 000004
【図３】
2006025870.tif 000005
【図４】
2006025870.tif 000006
【図５】
2006025870.tif 000007
【図６】
2006025870.tif 000008
【図７】
2006025870.tif 000009
【図８】
2006025870.tif 000010
【図９】
2006025870.tif 000011
【図１０】
2006025870.tif 000012
【図１１】
2006025870.tif 000013
【図１２】
2006025870.tif 000014
【図１３】
2006025870.tif 000015
【図１４】
2006025870.tif 000016
【図１５】
2006025870.tif 000017